(57)【要約】【課題】保護基板の厚さが異なる複数種類の光情報記録媒体に対し光ビームを高精度に照射し得るようにする。【解決手段】光路ＷＢ中及び光路ＷＨ中にそれぞれＢＤ用カップリングレンズ１８Ｂ及びＨＤ用カップリングレンズ１８Ｈをそれぞれ配置し、光ディスク１００の種類に応じて、液晶素子１５により光ビームＬ１の偏光方向を調整し偏光反射膜１６Ａにより当該光ビームＬ１を反射又は透過させて光路ＷＢ又は光路ＷＨへ進行させることにより、ＢＤ用カップリングレンズ１８Ｂによって発散角が変換された光ビームＬ１をＢＤ用対物レンズ８Ｂにより光ディスク１００Ｂに集光し、またＨＤ用カップリングレンズ１８Ｈにより発散角が変換された光ビームＬ１をＨＤ用対物レンズ８Ｈにより光ディスク１００に集光することができる。【選択図】図２
2009110635.tif 000002
【特許請求の範囲】
【請求項１】
第１厚さでなる第１保護基板により記録層が保護された第１光情報記録媒体又は上記第１厚さよりも厚い第２厚さでなる第２保護基板により上記記録層が保護された第２光情報記録媒体へ照射すべき第１波長の光ビームを出射する光源と、
上記光源から出射された上記光ビームを第１光路又は第２光路へ進行させる光路切換器と、
上記第１光路を進行する上記光ビームの発散角を変化させる第１カップリングレンズと、
上記第１カップリングレンズにより発散角が変化された上記光ビームを、上記第１光情報記録媒体の上記第１保護基板を介し上記記録層に集光する第１対物レンズと、
上記第２光路を進行する上記光ビームの発散角を変化させる第２カップリングレンズと、
上記第２カップリングレンズにより発散角が変化された上記光ビームを、上記第２光情報記録媒体の上記第２保護基板を介し上記記録層に集光する第２対物レンズと
を具えることを特徴とする光ピックアップ。
【請求項２】
上記第１カップリングレンズ又は上記第２カップリングレンズの少なくとも一方を、上記光ビームの光軸に沿って移動させるレンズ移動部と
を具えることを特徴とする請求項１に記載の光ピックアップ。
【請求項３】
上記光路切換器から上記第２光路へ出射された上記光ビームの発散角を拡大し上記第２カップリングレンズへ入射させる凹レンズ
をさらに具え、上記光ビームは、上記第２カップリングレンズから出射される際に発散光又は収束光に変換される
ことを特徴とする請求項２に記載の光ピックアップ。
【請求項４】
上記第１波長と異なる第２波長の光ビームを出射する第２光源と、
上記第１波長及び上記第２波長のいずれとも異なる第３波長の光ビームを出射する第３光源と
を具え、
上記光路切換器は、
上記第２波長の光ビームを上記第２光路へ導き、上記第２カップリングレンズ及び上記第２対物レンズを介して、第３厚さでなる保護基板を有する第３光情報記録媒体の記録層に集光すると共に、上記第３波長の光ビームを上記第２光路へ導き、上記第２カップリングレンズ及び上記第２対物レンズを介して、第４厚さでなる保護基板を有する第４光情報記録媒体の記録層に集光する
ことを特徴とする請求項１に記載の光ピックアップ。
【請求項５】
上記第２対物レンズは、
上記第１波長の光ビーム、上記第２波長の光ビーム及び上記第３波長の光ビームをそれぞれ回折させることなく集光する
ことを特徴とする請求項４に記載の光ピックアップ。
【請求項６】
第１厚さでなる第１保護基板により記録層が保護された第１光情報記録媒体又は上記第１厚さよりも厚い第２厚さでなる第２保護基板により上記記録層が保護された第２光情報記録媒体へ照射すべき第１波長の光ビームを出射する光源と、
上記光源から出射された上記光ビームを第１光路又は第２光路へ進行させる光路切換器と、
上記第１光路を進行する上記光ビームの発散角を変化させる第１カップリングレンズと、
上記第１カップリングレンズにより発散角が変化された上記光ビームを、上記第１光情報記録媒体の上記第１保護基板を介し上記記録層に集光する第１対物レンズと、
上記第２光路を進行する上記光ビームの発散角を変化させる第２カップリングレンズと、
上記第２カップリングレンズにより発散角が変化された上記光ビームを、上記第２光情報記録媒体の上記第２保護基板を介し上記記録層に集光する第２対物レンズと
上記光ビームを照射すべき光情報記録媒体が上記第１光情報記録媒体又は上記第２光情報記録媒体のいずれであるかを判別する判別部と、
上記判別部による判別結果に応じて、上記光情報記録媒体が上記第１光情報記録媒体であった場合に上記光ビームを上記第１光路へ進行させ、上記光情報記録媒体が上記第２光情報記録媒体であった場合に上記光ビームを上記第２光路へ進行させるよう上記光路切換器を制御する制御部と
を具えることを特徴とする光ディスク装置。
【発明の詳細な説明】
【技術分野】
【０００１】
本発明は光ピックアップ及び光ディスク装置に関し、例えば複数の方式に対応する光ディスク装置に適用して好適なものである。
【背景技術】
【０００２】
従来、光ディスク装置においては、光ディスクに光ビームを照射することにより当該光ディスクに情報を記録し、また光ディスクによる光ビームの反射光を検出することにより当該光ディスクから情報を再生し得るようになされたものが広く普及している。
【０００３】
かかる光ディスク装置では、情報の記録容量を増加させるべく、ＣＤ（Compact Disc）、ＤＶＤ（Digital Versatile Disc）、ＨＤ  ＤＶＤ（High Definition Digital Versatile Disc、登録商標）並びにＢＤ（Blu-ray Disc、登録商標）のように次々と新たな方式が規定され、高密度化が図られてきた。
【０００４】
特にＨＤ  ＤＶＤ及びＢＤを比較すると、波長が約４０５［ｎｍ］で共通しているものの、光ディスクの表面から記録層までの距離、すなわち保護基板（カバー層ともいう）の厚さがそれぞれ約０．６［ｍｍ］及び約０．１［ｍｍ］と異なり、対物レンズに要求される開口数も約０．６５及び約０．８５と異なっている。
【０００５】
ここで、ＨＤ  ＤＶＤ及びＢＤの双方に対応し得る対物レンズを用いることができれば、光ピックアップの小型化に寄与することができると考えられるものの、光学設計上の制約等により非常に困難となっている。
【０００６】
このため、光ディスク装置をＨＤ  ＤＶＤ及びＢＤの双方に対応させ、且つ構成をできるだけ簡易化するには、波長が約４０５［ｎｍ］のレーザダイオードを共有化する一方、ＨＤ  ＤＶＤ用及びＢＤ用それぞれに対物レンズを設ける構成が考えられる。
【０００７】
そこで、２種類の対物レンズを可動式に構成し、光ディスクがＨＤ  ＤＶＤ又はＢＤのいずれであるかに応じて当該対物レンズを機械的に切り換えることにより、ＨＤ  ＤＶＤ及びＢＤの双方に対応し得るようになされた光ディスク装置が提案されている（例えば、特許文献１参照）。
【特許文献１】特開２００５−３５３２６１公報（第５図）
【発明の開示】
【発明が解決しようとする課題】
【０００８】
しかしながらかかる構成の光ディスク装置は、対物レンズが可動式に構成されているために、どうしても対物レンズの位置ずれやがたつき等が生じてしまう。このためかかる構成の光ディスク装置は、当該対物レンズが可動式でない場合と比較して光ビームの照射精度が低下してしまい、これにより情報の記録再生精度も低下するという問題があった。
【０００９】
本発明は以上の点を考慮してなされたもので、保護基板の厚さが異なる複数種類の光情報記録媒体に対し光ビームを高精度に照射し得る光ピックアップ及び光ディスク装置を提案しようとするものである。
【課題を解決するための手段】
【００１０】
かかる課題を解決するため本発明の光ピックアップにおいては、第１厚さでなる第１保護基板により記録層が保護された第１光情報記録媒体又は第１厚さよりも厚い第２厚さでなる第２保護基板により記録層が保護された第２光情報記録媒体へ照射すべき第１波長の光ビームを出射する光源と、光源から出射された光ビームを第１光路又は第２光路へ進行させる光路切換器と、第１光路を進行する光ビームの発散角を変化させる第１カップリングレンズと、第１カップリングレンズにより発散角が変化された光ビームを、第１光情報記録媒体の第１保護基板を介し記録層に集光する第１対物レンズと、第２光路を進行する光ビームの発散角を変化させる第２カップリングレンズと、第２カップリングレンズにより発散角が変化された光ビームを、第２光情報記録媒体の第２保護基板を介し記録層に集光する第２対物レンズとを設けるようにした。
【００１１】
これにより光ピックアップは、第１光情報記録媒体に対し、第１カップリングレンズにより第１対物レンズに合わせて発散角が適切に変換された光ビームを当該第１対物レンズにより第１保護基板を介して記録層に集光し得ると共に、第２光情報記録媒体に対し、第２カップリングレンズにより第２対物レンズに合わせて発散角が適切に変換された光ビームを当該第２対物レンズにより第２保護基板を介して記録層に集光することができる。
【００１２】
また本発明の光ディスク装置においては、第１厚さでなる第１保護基板により記録層が保護された第１光情報記録媒体又は第１厚さよりも厚い第２厚さでなる第２保護基板により記録層が保護された第２光情報記録媒体へ照射すべき第１波長の光ビームを出射する光源と、光源から出射された光ビームを第１光路又は第２光路へ進行させる光路切換器と、第１光路を進行する光ビームの発散角を変化させる第１カップリングレンズと、第１カップリングレンズにより発散角が変化された光ビームを、第１光情報記録媒体の第１保護基板を介し記録層に集光する第１対物レンズと、第２光路を進行する光ビームの発散角を変化させる第２カップリングレンズと、第２カップリングレンズにより発散角が変化された光ビームを、第２光情報記録媒体の第２保護基板を介し記録層に集光する第２対物レンズと光ビームを照射すべき光情報記録媒体が第１光情報記録媒体又は第２光情報記録媒体のいずれであるかを判別する判別部と、判別部による判別結果に応じて、光情報記録媒体が第１光情報記録媒体であった場合に光ビームを第１光路へ進行させ、光情報記録媒体が第２光情報記録媒体であった場合に光ビームを第２光路へ進行させるよう光路切換器を制御する制御部とを設けるようにした。
【００１３】
これにより光ディスク装置は、光情報記録媒体が第１光情報記録媒体と判別された場合には、第１カップリングレンズにより第１対物レンズに合わせて発散角が適切に変換された光ビームを当該第１対物レンズにより第１保護基板を介して記録層に集光し得ると共に、第２光情報記録媒体と判別された場合には、第２カップリングレンズにより第２対物レンズに合わせて発散角が適切に変換された光ビームを当該第２対物レンズにより第２保護基板を介して記録層に集光することができる。
【発明の効果】
【００１４】
本発明によれば、第１光情報記録媒体に対し、第１カップリングレンズにより第１対物レンズに合わせて発散角が適切に変換された光ビームを当該第１対物レンズにより第１保護基板を介して記録層に集光し得ると共に、第２光情報記録媒体に対し、第２カップリングレンズにより第２対物レンズに合わせて発散角が適切に変換された光ビームを当該第２対物レンズにより第２保護基板を介して記録層に集光することができ、かくして保護基板の厚さが異なる複数種類の光情報記録媒体に対し光ビームを高精度に照射し得る光ピックアップを実現できる。
【００１５】
また本発明によれば、光情報記録媒体第１光情報記録媒体と判別された場合には、第１カップリングレンズにより第１対物レンズに合わせて発散角が適切に変換された光ビームを当該第１対物レンズにより第１保護基板を介して記録層に集光し得ると共に、第２光情報記録媒体と判別された場合には、第２カップリングレンズにより第２対物レンズに合わせて発散角が適切に変換された光ビームを当該第２対物レンズにより第２保護基板を介して記録層に集光することができ、かくして保護基板の厚さが異なる複数種類の光情報記録媒体に対し光ビームを高精度に照射し得る光ディスク装置を実現できる。
【発明を実施するための最良の形態】
【００１６】
以下、図面について、本発明の一実施の形態を詳述する。
【００１７】
（１）光ディスク装置及び光ピックアップの構成
図１において、光ディスク装置１は、制御部２を中心に構成されており、光情報記録媒体としての光ディスク１００、すなわちＣＤ方式の光ディスク１００Ｃ、ＤＶＤ方式の光ディスク１００Ｄ、第２光情報記録媒体としてのＨＤ  ＤＶＤ方式の光ディスク１００Ｈ又は第１光情報記録媒体としてのＢＤ方式の光ディスク１００Ｂに対して情報を記録し、また当該光ディスク１００から情報を再生し得るようになされている。
【００１８】
制御部２は、図示しないＣＰＵ(Central Processing Unit)と、各種プログラム等が格納されるＲＯＭ(Read Only Memory)と、当該ＣＰＵのワークメモリとして用いられるＲＡＭ(Random Access Memory)とによって構成されており、光ディスク装置２０を統括制御するようになされている。
【００１９】
すなわち制御部２は、駆動部３を介してスピンドルモータ５を回転駆動させ、ターンテーブル（図示せず）に載置された光ディスク１００を所望の速度で回転させる。また制御部２は、駆動部３を介してスレッドモータ６を駆動させることにより、移動軸Ｇ１及びＧ２に沿って光ピックアップ７を光ディスク１００の内周側又は外周側へ向かう方向であるトラッキング方向に大きく移動させる。
【００２０】
光ピックアップ７は、制御部２の制御に基づき、光ディスク１００へ光ビームを照射し、またその反射光ビームを検出するようになされている。
【００２１】
実際上制御部２は、光ディスク１００が装填されると、反射光ビームの検出結果等を基に所定のディスク判別処理を行うことにより、光ディスク１００の種類、すなわち当該光ディスク１００がＣＤ方式の光ディスク１００Ｃ、ＤＶＤ方式の光ディスク１００Ｄ、ＨＤ  ＤＶＤ方式の光ディスク１００Ｈ又はＢＤ方式の光ディスク１００Ｂのいずれであるかを判別する。
【００２２】
因みに制御部２は、例えば対物レンズ８Ｂ又は８Ｈをフォーカス方向に一定速度で移動させたときにおける反射光ビームの光量変化の様子を基に光ディスク１００の表面から記録層までの距離や記録層の数を認識し、或いは光ディスク１００の所定領域に記録された識別情報等を読み出すことにより、当該光ディスク１００の種類を判別するようになされている。
【００２３】
その後制御部２は、光ディスク１００に記録されている情報を再生する再生命令を外部機器（図示せず）から受け付けた場合、駆動部３を介して、所定の再生制御信号を光ピックアップ７へ供給する。
【００２４】
光ピックアップ７は、光ディスク１００の種類に対応した光ビームを対物レンズ８Ｂ又は８Ｈにより光ディスク１００に照射すると共に、その反射光を検出して検出信号を生成し、これを信号処理部４へ供給するようになされている（詳しくは後述する）。
【００２５】
信号処理部４は、供給される検出信号に対し所定の信号処理を施すことにより再生ＲＦ信号を生成し、これを制御部２へ供給する。
【００２６】
また信号処理部４は、検出信号を基に、光ディスク１００の信号記録層と光ビームの焦点とのフォーカス方向に関するずれ量を表すフォーカスエラー信号を生成する。さらに信号処理部４は、検出信号を基に、光ディスク１００の信号記録層における所望トラックと当該光ビームの焦点とのトラッキング方向に関するずれ量を表すトラッキングエラー信号を生成する。そのうえで信号処理部４は、フォーカスエラー信号及びトラッキングエラー信号を制御部２及び駆動部３へ供給する。
【００２７】
駆動部３は、フォーカスエラー信号及びトラッキングエラー信号を基に駆動信号を生成し、これを２軸アクチュエータ９へ供給する。２軸アクチュエータ９は、駆動信号に従い、対物レンズ８Ｂ又は８Ｈを保持するレンズホルダ１０をフォーカス方向及びトラッキング方向へ駆動する。
【００２８】
かくして駆動部３は、光ピックアップ７のフォーカス制御及びトラッキング制御を行い、光ビームの焦点を所望トラックに合わせ、また追従させるようになされている。
【００２９】
信号処理部４は、光ビームが所望トラックに合焦した状態で、再生ＲＦ信号に対し復調処理や復号化処理等を施すことにより情報を再生し、これを制御部２へ供給する。制御部２は、再生命令を供給した外部機器に対してこの情報を送出するようになされている。
【００３０】
一方、制御部２は、光ディスク１００に対し情報を記録する記録命令を外部機器（図示せず）から受け付けた場合、駆動部３を介して所定の記録制御信号を光ピックアップ７へ供給する。光ピックアップ７は、光ディスク１００から情報を再生する場合と同様、光ビームを所望トラックに合焦させる。
【００３１】
また信号処理部４は、記録すべき情報を変調することにより記録信号を生成し、これを光ピックアップ７へ供給する。光ピックアップ７は、後述するレーザダイオードへ記録信号を供給することにより、記録用の大きい光量でなる光ビームを出射させ、光ディスク１００の所望トラックに情報を記録する。
【００３２】
このように光ディスク装置１は、光ディスク１００の種類を判別した上で、当該光ディスク１００の種類に対応した光ビームを照射することにより、当該光ディスク１００に対して情報を記録し、また当該光ディス１００から情報を再生するようになされている。
【００３３】
（２）光ピックアップの構成
図２（Ａ）及び（Ｂ）に示すように、光ピックアップ７は、ＢＤ／ＨＤ用レーザダイオード１１及びＣＤ／ＤＶＤ用レーザダイオード１３を有しており、制御部２の制御に基づき駆動部３から供給されるレーザ駆動信号に従い、それぞれ光ビームＬ１を出射し得るようになされている。
【００３４】
因みに図２（Ａ）は、光ディスク１００の記録面を下向きとしたときにおける光ピックアップ７の上面図を示し、図２（Ｂ）は当該光ピックアップ７の側面図を示している。
【００３５】
ＢＤ／ＨＤ用レーザダイオード１１は、ＢＤ方式及びＨＤ  ＤＶＤ方式の双方に対応した波長約４０５［ｎｍ］の直線偏光でなる青色レーザ光の光ビームＬ１を発散光として出射し、これを光路合成プリズム１２へ入射させる。
【００３６】
またＣＤ／ＤＶＤ用レーザダイオード１３は、いわゆる２波長対応型でなり、ＤＶＤ方式に対応した波長約６６０［ｎｍ］又はＣＤ方式に対応した波長約７８０［ｎｍ］の直線偏光でなる赤色レーザ光又は赤外レーザ光の光ビームＬ１を発散光として出射し、カップリングレンズ１４へ入射させる。
【００３７】
カップリングレンズ１４は、光ビームＬ１の発散角をそれぞれ所定の割合で狭め、光路合成プリズム１２へ入射させる。
【００３８】
光路合成プリズム１２は、いわゆるダイクロイックミラーでなる反射膜１２Ａを有しており、波長約４０５［ｎｍ］でなる光ビームＬ１をそのまま透過し、液晶素子１５へ入射させる。一方、光路合成プリズム１２は、波長約６６０［ｎｍ］又は波長約７８０［ｎｍ］でなる光ビームＬ１を反射膜１２Ａにより反射し、液晶素子１５へ入射させる。
【００３９】
液晶素子１５は、制御部２から駆動部３を介して供給される偏光制御信号に従い液晶ダイレクタの配向方向を変化させることにより、光ビームＬ１の偏光方向を所定角度回転させ、所望の偏光方向に調整し得るようになされている。
【００４０】
分離プリズム１６は、光ビームの偏光方向に応じて透過率及び反射率が異なる偏光反射膜１６Ａ及びミラー面１６Ｂを有している。偏光反射膜１６Ａは、Ｓ偏光の光ビームＬ１をほぼ１００％の割合で反射すると共に、Ｐ偏光の光ビームＬ１をほぼ１００％の割合で透過するようになされている。
【００４１】
すなわち光ピックアップ７は、光ビームの偏光方向を切り換える液晶素子１５と、光ビームを偏光方向に応じて反射又は透過させる分離プリズム１６との組み合わせにより、光ビームの光路を切り換える光路切換器を形成するようになされている。
【００４２】
実際上分離プリズム１６は、Ｓ偏光の光ビームＬ１を偏光反射膜１６Ａによりほぼ１００％の割合で反射し、さらにミラー面１６Ｂで反射させて、ＢＤ用カップリングレンズ１８Ｂへ入射させる。また分離プリズム１６は、Ｐ偏光の光ビームＬ１を偏光反射膜１６Ａによりほぼ１００％の割合で透過し、凹レンズ１７へ入射させる。
【００４３】
凹レンズ１７は、発散光でなる光ビームＬ１の発散角を拡大し、ＨＤ用カップリングレンズ１８Ｈへ入射させる。これを換言すれば、凹レンズ１７は、ＨＤ用カップリングレンズ１８Ｈへ入射する光ビームＬ１の有効ビーム径を拡大することができる。さらに別の観点から言えば、凹レンズ１７は、ＨＤ用カップリングレンズ１８Ｈの焦点距離を短縮する役割を果たすことにもなる。
【００４４】
ＢＤ用カップリングレンズ１８Ｂ及びＨＤ用カップリングレンズ１８Ｈは、いずれも凸レンズでなり、それぞれ光ビームＬ１を集光することにより発散角を狭めるよう変化させ、或いは発散光から収束光に変換し、１／４波長板１９へ入射させる。
【００４５】
またＢＤ用カップリングレンズ１８Ｂには、アクチュエータ１８ＢＡが設けられている。このアクチュエータ１８ＢＡは、駆動部３から供給されるレンズ駆動信号に従い、ＢＤ用カップリングレンズ１８Ｂを光ビームＬ１の光軸に沿った方向へ移動させ得るようになされている。
【００４６】
ＨＤ用カップリングレンズ１８Ｈも同様に、アクチュエータ１８ＨＡにより光ビームＬ１の光軸に沿った方向へ移動され得るようになされている。特にＨＤ用カップリングレンズ１８Ｈは、凹レンズ１７を介した光ビームＬ１が入射されるため、当該凹レンズ１７により、ＨＤ用カップリングレンズ１８Ｈの移動距離に対する光ビームＬ１の倍率変化の割合、すなわち感度を高めるようになされている。
【００４７】
１／４波長板１９は、光ビームＬ１を直線偏光から円偏光に変換し、立上ミラー２０により反射させた上でＢＤ用対物レンズ８Ｂ又はＨＤ用対物レンズ８Ｈへ入射させる。
【００４８】
因みに対物レンズホルダ１０は、１／４波長板１９から出射された光ビームＬ１の開口数を制限する開口制限素子（図示せず）が設けられており、当該光ビームＬ１を所望の開口数に制限し得るようになされている。
【００４９】
ＢＤ用対物レンズ８Ｂは、ＢＤ方式の光ディスク１００Ｂにおける表面から記録層までの厚さ、すなわち記録層を保護する保護基板（いわゆるカバー層）の厚さが約０．１［ｍｍ］であることに対応すべく、開口数が約０．８５となっており、光ビームＬ１を集光し光ディスク１００Ｂの記録層へ集光する。
【００５０】
ＨＤ用対物レンズ８Ｈは、ＨＤ  ＤＶＤ方式の光ディスク１００Ｈ及びＤＶＤ方式の光ディスク１００Ｄにおける保護基板の厚さが約０．６［ｍｍ］であることに対応すべく、開口数が約０．６５となっており、光ビームＬ１を集光し光ディスク１００Ｈの記録層へ集光する。
【００５１】
光ビームＬ１は、その一部が光ディスク１００の記録層により反射され、円偏光における回転方向が反転され発散光でなる反射光ビームＬ２となり、光ビームＬ１の光路を反対方向へ辿る。
【００５２】
反射光ビームＬ２は、１／４波長板１９により円偏光から直線偏光に変換され、このとき元の光ビームＬ１における偏光方向と直交するような直線偏光となる。その後反射光ビームＬ２は、ＢＤ用カップリングレンズ１８ＢやＨＤ用カップリングレンズ１８Ｈ等を介して分離プリズム１６へ入射される。
【００５３】
分離プリズム１６は、偏光反射膜１６ＡによりＳ偏光の反射光ビームＬ２をほぼ１００％の割合で反射し、またＰ偏光の反射光ビームＬ２をほぼ１００％の割合で透過することにより、当該反射光ビームＬ２を検出用レンズ２２へ入射させる。
【００５４】
検出用レンズ２２は、凹レンズとなっており、反射光ビームＬ２を発散させることにより集光し、プリズム２３のミラー面２３Ａ及び２３Ｂにより反射光ビームＬ２を順次反射させた後、受光素子２４の受光面２４Ａに照射する。この場合プリズム２３は、検出用レンズ２２から受光素子２４までの光路を折り曲げることにより、光ピックアップ７の小型化に寄与している。
【００５５】
受光素子２４は、受光面２４Ａに複数の検出領域を設けており、反射光ビームＬ２を各検出領域により検出して検出信号を生成し、これを信号処理部４（図１）へ供給する。これに応じて信号処理部４は、検出信号を基に、再生ＲＦ信号、フォーカスエラー信号及びトラッキングエラー信号等を生成する。
【００５６】
このように光ピックアップ７は、液晶素子１５により光ビームＬ１の偏光方向を調整した上で、Ｓ偏光でなる光ビームＬ１を分離プリズム１６の偏光反射膜１６Ａにおいて反射させ、当該光ビームＬ１をＢＤ用カップリングレンズ１８Ｂ、１／４波長板１９、立上ミラー２０及びＢＤ用対物レンズ８Ｂを順次介して光ディスク１００へ照射させるようになされている（以下、このとき光ビームＬ１が通る光路を光路ＷＢと呼ぶ）。
【００５７】
また光ピックアップ７は、Ｐ偏光でなる光ビームＬ１を分離プリズム１６の偏光反射膜１６Ａにおいて透過させ、当該光ビームＬ１を凹レンズ１７、ＨＤ用カップリングレンズ１８Ｈ、１／４波長板１９、立上ミラー２０及びＨＤ用対物レンズ８Ｈを順次介して光ディスク１００へ照射させるようになされている（以下、このとき光ビームＬ１が通る光路を光路ＷＨと呼ぶ）。
【００５８】
因みに光ピックアップ７は、制御部２から駆動部３を介して供給される偏光制御信号に従い液晶素子１５により光ビームＬ１の偏光方向を回転させる際、偏光方向を完全には切り換えないことにより、分離プリズム１６の反射膜１６Ａにより透過又は反射される光ビームＬ１の光量を敢えて減衰させ、光結合効率を低下させ得るようにもなされている。
【００５９】
この場合光ピックアップ７は、ＢＤ／ＨＤ用レーザダイオード１１又はＣＤ／ＤＶＤ用レーザダイオード１３から光ビームＬ１を出射する際の光量を低減させることなく、光ディスク１００に照射される光ビームＬ１の光量を低減させることができる。このため光ピックアップ７は、光ビームＬ１の出射時に出射光量に拘わらずほぼ一定のレベルで含まれるレーザノイズの相対的な割合を低く抑えることができる。
【００６０】
（３）光ディスク１００の種類に応じた光路の切換
ところで光ピックアップ７は、光ディスク１００の種類に応じて、光ビームＬ１の波長及び当該光ビームＬ１が進行する光路を切り換えるようになされている。
【００６１】
すなわち制御部２は、光ディスク装置１に光ディスク１００が装填されると、例えば光ビームＬ１を当該光ディスク１００へ照射し、そのとき得られる反射光ビームＬ２の検出結果等を用いて、所定のディスク種類判別処理を行う。
【００６２】
続いて制御部２は、光ディスク１００の種類判別結果に応じて、ＢＤ／ＨＤ用レーザダイオード１１又はＣＤ／ＤＶＤ用レーザダイオード１３から適切な波長の光ビームＬ１を出射させる。
【００６３】
さらに制御部２は、液晶素子１５へ供給する液晶駆動信号を制御することにより、光ビームＬ１の偏光方向を調整する。これにより制御部２は、分離プリズム１６の偏光反射膜１６Ａによって光ビームＬ１を反射させるか又は透過させるか、すなわち当該光ビームＬ１を第１光路としての光路ＷＢ又は第２光路としての光路ＷＨのいずれへ進行させるかを切り換えることになる。
【００６４】
具体的に制御部２は、光ディスク１００がＢＤ方式の光ディスク１００Ｂであった場合、液晶素子１５によって光ビームＬ１の偏光方向をＳ偏光に調整することにより、当該光ビームＬ１を光路ＷＢへ進行させ、ＢＤ用カップリングレンズ１８Ｂを介しＢＤ用対物レンズ８Ｂにより集光させる。
【００６５】
一方制御部２は、光ディスク１００がＨＤ  ＤＶＤ方式の光ディスク１００Ｈ、ＤＶＤ方式の１００Ｄ又はＣＤ方式の１００Ｃであった場合、液晶素子１５によって光ビームＬ１の偏光方向をＰ偏光に調整することにより、当該光ビームＬ１を光路ＷＨへ進行させ、凹レンズ１７及びＨＤ用カップリングレンズ１８Ｈを介しＨＤ用対物レンズ８Ｈにより集光させる。
【００６６】
さらに制御部２は、光ビームＬ１を光路ＷＨへ進行させる場合、光ディスク１００の種類に応じてＨＤ用カップリングレンズ１８Ｈを移動させることにより、光ビームＬ１がＨＤ用対物レンズ８Ｈへ入射される際の集光角（又は発散角）を調整するようになされている。
【００６７】
以下では、光ディスク１００の種類ごとに、光ピックアップ７内を光ビームＬ１が進行する過程について説明する。
【００６８】
（３−１）ＢＤ方式の場合
制御部２（図１）は、光ディスク１００がＢＤ方式の光ディスク１００Ｂであった場合、駆動部３からＢＤ／ＨＤ用レーザダイオード１１へレーザダイオード（ＬＤ）駆動信号を供給させる。
【００６９】
光ピックアップ７は、駆動部３からのレーザダイオード駆動信号に応じて、ＢＤ／ＨＤ用レーザダイオード１１から波長約４０５［ｎｍ］の光ビームＬ１を出射させ、光路合成プリズム１２を介して液晶素子１５へ入射させる。
【００７０】
液晶素子１５は、駆動部３から供給される偏光制御信号に基づき、光ビームＬ１の偏光方向をＳ偏光に調整し、分離プリズム１６へ入射させる（以下、このとき出射された光ビームを光ビームＬ１Ｂと呼ぶ）。
【００７１】
分離プリズム１６は、Ｓ偏光の光ビームＬ１Ｂを偏光反射膜１６Ａによりほぼ１００％の割合で反射し、さらにミラー面１６Ｂで反射させて、光路ＷＢ中のＢＤ用カップリングレンズ１８Ｂへ入射させる。
【００７２】
ＢＤ用カップリングレンズ１８Ｂは、光ビームＬ１Ｂを集光することにより発散光から略平行光に変換し、１／４波長板１９により例えば左円偏光に変換され、立上ミラー２０を介して対物レンズ８Ｂへ入射させる。
【００７３】
このときアクチュエータ１８ＢＡは、ＢＤ方式の光ディスク１００Ｂが２層以上の記録層を有する場合に、いずれの記録層に光ビームＬ１Ｂを照射するかに応じて、ＢＤ用カップリングレンズ１８Ｂを移動させる。これによりＢＤ用カップリングレンズ１８Ｂは、光ビームＬ１が光ディスク１００Ｂの記録層に集光された際の収差を適切に補正することができる。
【００７４】
因みにこのときＢＤ用カップリングレンズ１８Ｂが移動される位置は、ＢＤ／ＨＤ用レーザダイオード１１、ＢＤ用カップリングレンズ１８Ｂ及びＢＤ用対物レンズ８Ｂの光学特性等、各記録層の間隔、並びに光ビームＬ１Ｂが光ディスク１００Ｂに照射される際の開口数等を基に予め定められている。
【００７５】
ＢＤ用対物レンズ８Ｂは、光ビームＬ１Ｂを集光し光ディスク１００Ｂの記録層へ集光する。このときＢＤ用対物レンズ８Ｂは、光ビームＬ１Ｂの見かけ上の開口数を約０．８５として、保護基板の厚さが約０．１［ｍｍ］（１層の場合）〜約０．０７５［ｍｍ］（２層の場合）である光ディスク１００Ｂの記録層に当該光ビームＬ１Ｂを適切に集光することができる。
【００７６】
光ビームＬ１Ｂが光ディスク１００Ｂの記録層により反射されてなる反射光ビームＬ２Ｂは、光路ＷＢを光ビームＬ１Ｂと反対方向へ辿ることにより、ＢＤ用対物レンズ８Ｂにより集光されて発散角が狭められ、立上ミラー２０により反射され、１／４波長板１９により直線偏光（例えばＰ偏光）に変換され、ＢＤ用カップリングレンズ１８Ｂへ入射される。
【００７７】
ＢＤ用カップリングレンズ１８Ｂは、反射光ビームＬ２Ｂを集光することにより略平行光から収束光に変換し、分離プリズム１６へ入射させる。分離プリズム１６は、Ｐ偏光でなる反射光ビームＬ２Ｂをミラー面１６Ｂで反射した後、偏光反射膜１６Ａをほぼ１００％の割合で透過させ、検出用レンズ２２へ入射させる。
【００７８】
検出用レンズ２２は、反射光ビームＬ２Ｂを発散させることにより収束角を狭め、プリズム２３のミラー面２３Ａ及び２３Ｂにより順次反射させた後、受光素子２４の受光面２４Ａに集光する。
【００７９】
このように光ピックアップ７は、ＢＤ方式の光ディスク１００Ｂであった場合、ＢＤ／ＨＤ用レーザダイオード１１から出射した光ビームＬ１を液晶素子１５によりＳ偏光の光ビームＬ１Ｂに調整する。続いて光ピックアップ７は、光ビームＬ１Ｂを分離プリズム１６の偏光反射膜１６Ａにより反射させ、光路ＷＢ中のＢＤ用カップリングレンズ１８Ｂ及びＢＤ用対物レンズ８Ｂ等を介して光ディスク１００Ｂへ照射するようになされている。
【００８０】
（３−２）ＨＤ  ＤＶＤ方式の場合
制御部２（図１）は、光ディスク１００がＨＤ  ＤＶＤ方式の光ディスク１００Ｈであった場合、駆動部３からＢＤ／ＨＤ用レーザダイオード１１へレーザダイオード駆動信号を供給させる。
【００８１】
光ピックアップ７は、駆動部３からのレーザダイオード駆動信号に応じて、ＢＤ／ＨＤ用レーザダイオード１１から波長約４０５［ｎｍ］の光ビームＬ１を出射させ、光路合成プリズム１２を介して液晶素子１５へ入射させる。
【００８２】
このとき液晶素子１５は、駆動部３からの偏光制御信号に基づき、光ビームＬ１の偏光方向をＰ偏光に調整し、分離プリズム１６へ入射させる（以下、このとき出射された光ビームを光ビームＬ１Ｈと呼ぶ）。
【００８３】
分離プリズム１６は、Ｐ偏光の光ビームＬ１Ｈを偏光反射膜１６Ａによりほぼ１００％の割合で透過し、光路ＷＨ中の凹レンズ１７へ入射させる。凹レンズ１７は、発散光でなる光ビームＬ１Ｈの発散角を拡大し、ＨＤ用カップリングレンズ１８Ｈへ入射させる。
【００８４】
このときアクチュエータ１８ＨＡは、駆動部３から供給されるレンズ駆動信号に従い、ＨＤ  ＤＶＤ方式の光ディスク１００Ｈに対する最適位置ＰＨにＨＤ用カップリングレンズ１８Ｈを移動させる。またアクチュエータ１８ＨＡは、ＨＤ  ＤＶＤ方式の光ディスク１００Ｈが２層以上の記録層を有する場合、各記録層に対応した最適位置ＰＨにＨＤ用カップリングレンズ１８Ｈを移動させるようになされている。
【００８５】
これによりＨＤ用カップリングレンズ１８Ｈは、光ビームＬ１が光ディスク１００Ｈの記録層に集光された際の収差を適切に補正することができる。
【００８６】
因みに最適位置ＰＨは、ＢＤ／ＨＤ用レーザダイオード１１、凹レンズ１７、ＨＤ用カップリングレンズ１８Ｈ及びＨＤ用対物レンズ８Ｈの光学特性等、各記録層の間隔、並びに光ビームＬ１Ｈが光ディスク１００Ｈに照射される際の開口数等を基に予め設定されている。
【００８７】
ＨＤ用カップリングレンズ１８Ｈは、光ビームＬ１Ｈを集光することにより発散光から収束光に変換し、１／４波長板１９へ入射させる。１／４波長板１９は、光ビームＬ１Ｈを直線偏光から円偏光（例えば右円偏光）に変換し、立上ミラー２０により反射させた上でＨＤ用対物レンズ８Ｈへ入射させる。
【００８８】
ＨＤ用対物レンズ８Ｈは、光ビームＬ１Ｈを光ディスク１００Ｈの記録層へ集光する。このときＨＤ用対物レンズ８Ｈは、光ビームＬ１Ｈの見かけ上の開口数を約０．６５として、保護基板の厚さが約０．６［ｍｍ］（１層の場合）〜約０．５８［ｍｍ］（２層の場合）である光ディスク１００Ｈの記録層に当該光ビームＬ１Ｈを適切に集光することができる。
【００８９】
すなわちＨＤ用カップリングレンズ１８Ｈは、最適位置ＰＨへ移動されることにより、最終的に光ディスク１００Ｈに照射すべき光ビームＬ１ＨがＨＤ用対物レンズ８Ｈへ入射される際における発散角等を最適化することができる。
【００９０】
光ビームＬ１Ｈが光ディスク１００Ｈの記録層により反射されてなる反射光ビームＬ２Ｈは、光ビームＬ１Ｈの光路を反対方向へ辿ることにより、ＨＤ用対物レンズ８Ｈにより集光されて発散角が狭められ、立上ミラー２０により反射され、１／４波長板１９へ入射される。１／４波長板１９は、反射光ビームＬ２Ｈを円偏光から直線偏光（例えばＳ偏光）に変換し、ＨＤ用カップリングレンズ１８Ｈへ入射させる。
【００９１】
ＨＤ用カップリングレンズ１８Ｈは、反射光ビームＬ２Ｈを集光することにより発散光から収束光に変換し、凹レンズ１７により収束角を狭め、分離プリズム１６へ入射させる。分離プリズム１６は、偏光反射膜１６ＡによりＳ偏光でなる反射光ビームＬ２Ｂをほぼ１００％の割合で反射し、検出用レンズ２２へ入射させる。
【００９２】
検出用レンズ２２は、反射光ビームＬ２Ｂの場合と同様、反射光ビームＬ２Ｈを発散させることにより収束角を狭め、プリズム２３のミラー面２３Ａ及び２３Ｂにより順次反射させた後、受光素子２４の受光面２４Ａに集光する。
【００９３】
このように光ピックアップ７は、光ディスク１００がＨＤ  ＤＶＤ方式の光ディスク１００Ｈであった場合、ＢＤ／ＨＤ用レーザダイオード１１から出射した光ビームＬ１を液晶素子１５によりＰ偏光の光ビームＬ１Ｈに調整する。続いて光ピックアップ７は、当該光ビームＬ１Ｈを分離プリズム１６の偏光反射膜１６Ａにより透過させ、光路ＷＨ中の凹レンズ１７、ＨＤ用カップリングレンズ１８Ｈ及びＨＤ用対物レンズ８Ｈ等を介して光ディスク１００Ｈへ照射するようになされている。
【００９４】
（３−３）ＤＶＤ方式の場合
制御部２（図１）は、光ディスク１００がＤＶＤ方式の光ディスク１００Ｄであった場合、駆動部３からＣＤ／ＤＶＤ用レーザダイオード１３へ所定のレーザダイオード駆動信号を供給させる。
【００９５】
光ピックアップ７は、駆動部３からのレーザダイオード駆動信号に応じて、ＣＤ／ＤＶＤ用レーザダイオード１３から波長が約６６０［ｎｍ］の光ビームＬ１Ｄを出射させ、カップリングレンズ１４、光路合成プリズム１２を介して液晶素子１５へ入射させる。
【００９６】
液晶素子１５は、駆動部３からの偏光制御信号に基づき、光ビームＬ１Ｄの偏光方向を回転させてＰ偏光に調整し、分離プリズム１６へ入射させる。
【００９７】
その後光ビームＬ１Ｄは、ＨＤ  ＤＶＤ方式の場合における光ビームＬ１Ｈと同様、分離プリズム１６の偏光反射膜１６Ａを透過し、光路ＷＨ中の凹レンズ１７を介して、ＨＤ用カップリングレンズ１８Ｈへ入射される。
【００９８】
このときアクチュエータ１８ＨＡは、駆動部３から供給されるレンズ駆動信号に従い、ＤＶＤ方式の光ディスク１００Ｄに対する最適位置ＰＤに当該ＨＤ用カップリングレンズ１８Ｈを位置させる。因みに最適位置ＰＤは、ＣＤ／ＤＶＤ用レーザダイオード１３、カップリングレンズ１４、凹レンズ１７、ＨＤ用カップリングレンズ１８Ｈ及びＨＤ用対物レンズ８Ｈの光学特性等、並びに光ビームＬ１Ｄが光ディスク１００Ｄに照射される際の開口数等を基に予め設定されている。
【００９９】
ＨＤ用カップリングレンズ１８Ｈは、光ビームＬ１Ｄを集光することにより発散光から収束光に変換し、１／４波長板１９へ入射させる。１／４波長板１９は、光ビームＬ１Ｄを直線偏光から円偏光（例えば右円偏光）に変換し、立上ミラー２０により反射させた上でＨＤ用対物レンズ８Ｈへ入射させる。
【０１００】
ＨＤ用対物レンズ８Ｈは、光ビームＬ１Ｄを光ディスク１００Ｄの記録層へ集光する。このときＨＤ用対物レンズ８Ｈは、光ビームＬ１Ｄの見かけ上の開口数を約０．６５として、保護基板の厚さが約０．６［ｍｍ］（１層の場合）〜約０．５５［ｍｍ］（２層の場合）である光ディスク１００Ｄの記録層に当該光ビームＬ１Ｄを適切に集光することができる。
【０１０１】
すなわちＨＤ用カップリングレンズ１８Ｈは、最適位置ＰＤへ移動されることにより、最終的に光ディスク１００Ｄに照射すべき光ビームＬ１ＤがＨＤ用対物レンズ８Ｈへ入射される際における発散角等を最適化することができる。
【０１０２】
光ビームＬ１Ｄが光ディスク１００Ｄの記録層により反射されてなる反射光ビームＬ２Ｄは、光ビームＬ１Ｄの光路を反対方向へ辿ることにより、反射光ビームＬ２Ｈと同様、光路ＷＨ中のＨＤ用対物レンズ８Ｈ、立上ミラー２０、１／４波長板１９、ＨＤ用カップリングレンズ１８Ｈ、凹レンズ１７を順次介して分離プリズム１６へ入射される。
【０１０３】
分離プリズム１６は、偏光反射膜１６ＡによりＳ偏光でなる反射光ビームＬ２Ｄを反射し、さらに検出用レンズ２２へ入射させる。
【０１０４】
検出用レンズ２２は、反射光ビームＬ２Ｈの場合と同様、反射光ビームＬ２Ｄの収束角を狭め、プリズム２３のミラー面２３Ａ及び２３Ｂにより順次反射させた後、受光素子２４の受光面２４Ａに集光する。
【０１０５】
このように光ピックアップ７は、光ディスク１００がＤＶＤ方式の光ディスク１００Ｄであった場合、ＣＤ／ＤＶＤ用レーザダイオード１３から出射した光ビームＬ１Ｄを液晶素子１５によりＰ偏光に調整する。続いて光ピックアップ７は、当該光ビームＬ１Ｄを分離プリズム１６の偏光反射膜１６Ａにより透過させ、光路ＷＨ中の凹レンズ１７、ＨＤ用カップリングレンズ１８Ｈ及びＨＤ用対物レンズ８Ｈ等を介して光ディスク１００Ｄへ照射するようになされている。
【０１０６】
（３−４）ＣＤ方式の場合
制御部２（図１）は、光ディスク１００がＣＤ方式の光ディスク１００Ｃであった場合、駆動部３からＣＤ／ＤＶＤ用レーザダイオード１３へ所定のレーザダイオード駆動信号を供給させる。
【０１０７】
光ピックアップ７は、駆動部３からのレーザダイオード駆動信号に応じて、ＣＤ／ＤＶＤ用レーザダイオード１３から波長が約７８０［ｎｍ］の赤外レーザ光でなる光ビームＬ１Ｃを出射させ、カップリングレンズ１４へ入射させる。
【０１０８】
因みに光ビームＬ１Ｃは、ＣＤ方式の光ディスク１００Ｃに対応しており、ＣＤ／ＤＶＤ用レーザダイオード１３から直線偏光の発散光として出射される。
【０１０９】
その後光ビームＬ１Ｃは、ＤＶＤ方式の場合における光ビームＬ１Ｄの場合と同様、カップリングレンズ１４により発散角を所定の割合で狭められ、光路合成プリズム１２の反射膜１２Ａにより反射され、液晶素子１５により偏光方向が回転されＰ偏光とされて分離プリズム１６へ入射させる。
【０１１０】
さらに光ビームＬ１Ｃは、光ビームＬ１Ｄと同様、分離プリズム１６の偏光反射膜１６Ａ、凹レンズ１７を介してＨＤ用カップリングレンズ１８Ｈへ入射される。
【０１１１】
このときアクチュエータ１８ＨＡは、駆動部３から供給されるレンズ駆動信号に従い、ＣＤ方式の光ディスク１００Ｃに対する最適位置ＰＣにＨＤ用カップリングレンズ１８Ｈを移動させる。因みに最適位置ＰＣは、ＣＤ／ＤＶＤ用レーザダイオード１３、カップリングレンズ１４、凹レンズ１７、ＨＤ用カップリングレンズ１８Ｈ及びＨＤ用対物レンズ８Ｈの光学特性等、並びに光ビームＬ１Ｃが光ディスク１００Ｃに照射される際の開口数等を基に予め設定されている。
【０１１２】
ＨＤ用カップリングレンズ１８Ｈは、光ビームＬ１Ｃを集光することにより発散光としたままその発散角を狭め、１／４波長板１９へ入射させる。１／４波長板１９は、光ビームＬ１Ｃを直線偏光から円偏光（例えば右円偏光）に変換し、立上ミラー２０により反射させた上でＨＤ用対物レンズ８Ｈへ入射させる。
【０１１３】
ＨＤ用対物レンズ８Ｈは、発散光として入射される光ビームＬ１Ｃを光ディスク１００Ｃの記録層へ集光する。このときＨＤ用対物レンズ８Ｈは、光ビームＬ１Ｃの見かけ上の開口数を約０．５０として、保護基板の厚さが約１．２［ｍｍ］である光ディスク１００Ｃの記録層に当該光ビームＬ１Ｃを適切に集光することができる。
【０１１４】
すなわちＨＤ用カップリングレンズ１８Ｈは、最適位置ＰＣへ移動されることにより、最終的に光ディスク１００Ｃに照射すべき光ビームＬ１ＣがＨＤ用対物レンズ８Ｈへ入射される際における発散角等を最適化することができる。
【０１１５】
光ビームＬ１Ｃが光ディスク１００Ｃの記録層により反射されてなる反射光ビームＬ２Ｃは、光ビームＬ１Ｃの光路を反対方向へ辿ることにより、反射光ビームＬ２Ｄと同様、ＨＤ用対物レンズ８Ｈ、立上ミラー２０、１／４波長板１９、ＨＤ用カップリングレンズ１８Ｈ、凹レンズ１７を順次介して分離プリズム１６へ入射される。
【０１１６】
分離プリズム１６は、偏光反射膜１６ＡによりＳ偏光でなる反射光ビームＬ２Ｃを反射し、検出用レンズ２２へ入射させる。
【０１１７】
検出用レンズ２２は、反射光ビームＬ２Ｈの場合と同様、反射光ビームＬ２Ｄの収束角を狭め、プリズム２３のミラー面２３Ａ及び２３Ｂにより順次反射させた後、受光素子２４の受光面２４Ａに集光する。
【０１１８】
このように光ピックアップ７は、光ディスク１００がＣＤ方式の光ディスク１００Ｃであった場合、ＣＤ／ＤＶＤ用レーザダイオード１３から出射した光ビームＬ１Ｃを液晶素子１５によりＰ偏光に調整する。続いて光ピックアップ７は、光ビームＬ１Ｃを分離プリズム１６の偏光反射膜１６Ａにより透過させ、凹レンズ１７、ＨＤ用カップリングレンズ１８Ｈ及びＨＤ用対物レンズ８Ｈ等を介して光ディスク１００Ｃへ照射するようになされている。
【０１１９】
（４）動作及び効果
以上の構成において、光ディスク装置１の制御部２は、光ディスク１００が装填されると、当該光ディスク１００の種類を判別し、光ピックアップ７のＢＤ／ＨＤ用レーザダイオード１１又はＣＤ／ＤＶＤ用レーザダイオード１３からその判別結果に応じた波長の光ビームＬ１を出射させる。
【０１２０】
制御部２は、光ディスク１００がＢＤ方式の光ディスク１００Ｂであった場合、液晶素子１５によって光ビームＬ１の偏光方向をＳ偏光に調整する。このとき光ピックアップ７は、偏光反射膜１６Ａにより当該光ビームＬ１を反射させて光路ＷＢへ進行させ、ＢＤ用カップリングレンズ１８Ｂを介しＢＤ用対物レンズ８Ｂにより集光させる。
【０１２１】
また制御部２は、光ディスク１００がＨＤ  ＤＶＤ方式の光ディスク１００Ｈ、ＤＶＤ方式の１００Ｄ又はＣＤ方式の１００Ｃであった場合、液晶素子１５によって光ビームＬ１の偏光方向をＰ偏光に調整する。このとき光ピックアップ７は、偏光反射膜１６Ａにより当該光ビームＬ１を透過させて光路ＷＨへ進行させ、凹レンズ１７及びＨＤ用カップリングレンズ１８Ｈを介しＨＤ用対物レンズ８Ｈにより集光させる。
【０１２２】
従って光ディスク装置１は、光ディスク１００の種類に応じて光路ＷＢ又は光路ＷＨを切り換えることにより、ＢＤ用カップリングレンズ１８Ｂ又はＨＤ用カップリングレンズ１８Ｈによって光ビームＬ１の発散角を変換させることができるので、当該光ビームＬ１をＢＤ用対物レンズ８Ｂ又はＨＤ用対物レンズ８Ｈにそれぞれ適した状態で入射させることができる。
【０１２３】
これにより光ディスク装置１は、ＢＤ用対物レンズ８Ｂ又はＨＤ用対物レンズ８Ｈから、光ディスク１００の種類に応じた開口数でなる高精度な光ビームＬ１を当該光ディスク１００へ照射することができる。
【０１２４】
このとき光ピックアップ７は、ＢＤ方式の場合のみ用いられる光路ＷＢ中にＢＤ用カップリングレンズ１８Ｂを配置している。このため光ピックアップ７は、他の方式との互換性等を考慮する必要なく、当該ＢＤ用カップリングレンズ１８ＢとＢＤ用対物レンズ８Ｂとの組み合わせにより、最適な状態で光ビームＬ１を光ディスク１００Ｂの記録層へ集光することができる。
【０１２５】
これを換言すれば、光ピックアップ７は、ＢＤ方式の光ディスク１００Ｂの場合のみＢＤ用カップリングレンズ１８Ｂを用いるため、当該ＢＤ用カップリングレンズ１８Ｂ及びＢＤ用対物レンズ８Ｂに関する設計自由度を高めることができる。
【０１２６】
さらにＢＤ用カップリングレンズ１８Ｂは、光ディスク１００Ｂに複数の記録層がある場合にいずれの記録層に光ビームＬ１を照射するかに応じて、アクチュエータ１８ＢＡによって移動されることにより、当該光ビームＬ１の収差補正を適切に行うことができる。
【０１２７】
また光ピックアップ７は、ＨＤ  ＤＶＤ方式、ＤＶＤ方式及びＣＤ方式の場合、すなわちＢＤ方式以外の場合に用いられる光路ＷＨ中にＨＤ用カップリングレンズ１８Ｈを配置している。このため光ピックアップ７は、保護基板の厚さが大きく異なるＢＤ方式との互換性を考慮する必要なく、当該ＨＤ用カップリングレンズ１８ＨとＨＤ用対物レンズ８Ｈとの組み合わせにより、最適な状態で光ビームＬ１を光ディスク１００Ｈ、１００Ｄ又は１００Ｃの記録層へ集光することができる。
【０１２８】
これを換言すれば、光ピックアップ７は、ＨＤ用カップリングレンズ１８Ｈ及びＨＤ用対物レンズ８Ｈに関しても、設計自由度を高めることができる。
【０１２９】
さらにＨＤ用カップリングレンズ１８Ｈは、ＨＤ  ＤＶＤ方式、ＤＶＤ方式及びＣＤ方式のそれぞれの場合にアクチュエータ１８ＨＡによって最適位置ＰＨ、ＰＤ又はＰＣへ移動されることにより、１つのＨＤ用対物レンズ８Ｈに対する集光角又は発散角を適切に変化させることができる。
【０１３０】
このときＨＤ用カップリングレンズ１８Ｈは、ＢＤ／ＨＤ用レーザダイオード１１又はＣＤ／ＤＶＤ用レーザダイオード１３からのレーザ光の出射特性の違いやカップリングレンズ１４の有無等に起因して、凹レンズ１７から出射された時点で光ビームＬ１Ｈ、Ｌ１Ｄ又はＬ１Ｃの発散角等が互いに異なっていたとしても、最適位置ＰＨ、ＰＤ又はＰＣへ移動されることにより、ＨＤ用対物レンズ８Ｈへ入射される光ビームＬ１Ｈ、Ｌ１Ｄ又はＬ１Ｃの発散角（又は集光角）等を適切に調整することができる。
【０１３１】
すなわち光ピックアップ７は、ＨＤ用カップリングレンズ１８Ｈの位置を移動させるだけでＨＤ  ＤＶＤ方式、ＤＶＤ方式及びＣＤ方式の全てに対応することができるため、例えばＨＤ用対物レンズ８Ｈに表面に複雑な回折面を設ける必要なく、簡易な構成によりいずれの方式においても高い効率で光ビームを集光することができる。
【０１３２】
そのうえ光ピックアップ７は、凹レンズ１７により、ＨＤ用カップリングレンズ１８Ｈの感度（すなわち移動されたときに光ビームＬ１の発散・収束状態を変化させる度合）を高めることができる。このとき光ピックアップ７は、光路ＷＨ中にのみ凹レンズ１７を設けたことにより、既に高い状態にあるＢＤ用カップリングレンズ１８Ｂの感度を不用意に高めずに済む。
【０１３３】
また光ディスク装置１は、液晶素子１５及び分離プリズム１６の組み合わせにより光ビームＬ１を光路ＷＢ又は光路ＷＨのいずれへ進行させるか切り換えることができるので、光ビームＬ１の照射位置精度に多大な影響を及ぼす対物レンズ８（ＢＤ用対物レンズ８Ｂ又はＨＤ用対物レンズ８Ｈ）の位置を不用意に変動させる必要がない。このため光ディスク装置１は、特許文献１に記載されたように対物レンズを可動式にする場合と比較して、原理的に位置ずれやがたつき等を生じさせることが無く、光ビームＬ１の照射位置精度を低下させずに済む。
【０１３４】
以上の構成によれば、光ディスク装置１は、光路ＷＢ中及び光路ＷＨ中にそれぞれＢＤ用カップリングレンズ１８Ｂ及びＨＤ用カップリングレンズ１８Ｈをそれぞれ配置し、光ディスク１００の種類に応じて、液晶素子１５により光ビームＬ１の偏光方向を調整し偏光反射膜１６Ａにより当該光ビームＬ１を反射又は透過させることにより光路ＷＢ又は光路ＷＨへ進行させる。これにより光ディスク装置１は、ＢＤ用カップリングレンズ１８Ｂにより発散角が変換された光ビームＬ１をＢＤ用対物レンズ８Ｂにより光ディスク１００Ｂに集光し、またＨＤ用カップリングレンズ１８Ｈにより発散角が変換された光ビームＬ１をＨＤ用対物レンズ８Ｈにより光ディスク１００に集光することができる。
【０１３５】
（５）他の実施の形態
なお上述した実施の形態においては、光路ＷＨについて、ＨＤ用カップリングレンズ１８Ｈにより発散角が変換された光ビームＬ１が収束光又は発散光としてＨＤ用対物レンズ８Ｈへ入射される、いわゆる有限光学系として光ピックアップ７を構成するようにした場合について述べたが、本発明はこれに限らず、光路ＷＨについて、例えばＨＤ用カップリングレンズ１８Ｈにより光ビームＬ１が平行光に変換され、当該平行光がＨＤ用対物レンズ８Ｈへ入射される、いわゆる無限光学系として光ピックアップ７を構成するようにしても良い。
【０１３６】
この無限光学系の場合、ＨＤ用カップリングレンズ１８Ｈは必ずしもアクチュエータ１８ＨＡにより移動される必要はなく、固定されていても良い。
【０１３７】
また上述した実施の形態においては、光路ＷＨ中の分離プリズム１６とＨＤ用カップリングレンズ１８Ｈとの間に凹レンズ１７を設けることにより当該ＨＤ用カップリングレンズ１８Ｈの感度を高めて移動距離を短縮するようにした場合について述べたが、本発明はこれに限らず、例えば光学設計の工夫等により当該凹レンズ１７を省略し、分離プリズム１６から出射された光ビームＬ１が直接ＨＤ用カップリングレンズ１８Ｈへ入射されて発散角が変換されるようにしても良い。
【０１３８】
さらに上述した実施の形態においては、ＨＤ用対物レンズ８Ｈの光学特性に応じて、ＨＤ用カップリングレンズ１８ＨによりＨＤ  ＤＶＤ方式の場合及びＤＶＤ方式の場合に光ビームＬ１を収束光とし、ＣＤ方式の場合に当該光ビームＬ１を発散光としてＨＤ用対物レンズ８Ｈへ入射させるようにした場合について述べたが、本発明はこれに限らず、例えばＨＤ用対物レンズ８Ｈの光学特性に応じて、ＨＤ用カップリングレンズ１８Ｈにより光ビームＬ１をいずれの方式の場合にも発散光とし、或いはいずれの方式の場合に収束光として、ＨＤ用対物レンズ８Ｈへ入射させるようにしても良い。
【０１３９】
この場合、要は光ビームＬ１が最終的にＨＤ用対物レンズ８Ｈにより光ディスク１００へ所定の開口数で最適に集光されれば良い。
【０１４０】
さらに上述した実施の形態においては、液晶素子１５と分離プリズム１６の偏光反射膜１６Ａとの組み合わせにより、光ビームＬ１が進行する光路を光路ＷＢ又は光路ＷＨに切り換えるようにした場合について述べたが、本発明はこれに限らず、例えば回転可能なミラーを設け当該ミラーの角度を変更することにより光ビームＬ１が進行する光路を切り換えるようにしても良い。
【０１４１】
或いは、液晶素子１５を省略し分離プリズム１６に代えてハーフミラーを設けることにより、各光路へ光ビームＬ１を進行させるようにしても良い。
【０１４２】
さらに上述した実施の形態においては、偏光反射膜１６Ａ及びミラー面１６Ｂを一体化した分離プリズム１６を用いるようにした場合について述べたが、本発明はこれに限らず、例えば偏光反射膜１６Ａの機能を有する偏光分離プリズムとミラー面１６Ｂの機能を有する反射ミラーとを組み合わせて用いるようにしても良い。
【０１４３】
さらに上述した実施の形態においては、プリズム２３を設けることにより光ピックアップ７の小型化を図るようにした場合について述べたが、本発明はこれに限らず、例えば検出用レンズ２２の倍率を調整する等して当該プリズム２３を介さず検出用レンズ２２から出射された反射光ビームＬ２が直接受光素子２４へ照射されるようにしても良い。
【０１４４】
さらに上述した実施の形態においては、ＣＤ／ＤＶＤ用レーザダイオード１３から出射された光ビームＬ１Ｄ及びＬ１Ｃの発散角をカップリングレンズ１４により狭めるようにした場合について述べたが、本発明はこれに限らず、例えばＣＤ／ＤＶＤ用レーザダイオード１３から所望の発散角でなる光ビームＬ１Ｄ及びＬ１Ｃを直接出射し得る場合に、当該カップリングレンズ１４を省略するようにしても良い。
【０１４５】
さらに上述した実施の形態においては、ダイクロイックミラーでなる反射膜１２Ａを有する光路合成プリズム１２によって、波長約４０５［ｎｍ］でなる光ビームＬ１をそのまま透過すると共に波長約６６０［ｎｍ］又は波長約７８０［ｎｍ］でなる光ビームＬ１を反射することにより、光ビームＬ１の光路を合成するようにした場合について述べたが、本発明はこれに限らず、例えば波長約４０５［ｎｍ］でなる光ビームＬ１と波長約６６０［ｎｍ］又は波長約７８０［ｎｍ］でなる光ビームＬ１との偏光方向を相違させ、偏光分離プリズム等により同様に光路を合成するようにしても良い。
【０１４６】
さらに上述した実施の形態においては、光ディスク装置１がＢＤ方式の光ディスク１００Ｂ、ＨＤ  ＤＶＤ方式の光ディスク１００Ｈ、ＤＶＤ方式の光ディスク１００Ｄ及びＣＤ方式の光ディスク１００Ｃの全てに対応するようにした場合について述べたが、本発明はこれに限らず、例えばＢＤ方式の光ディスク１００Ｂ及びＨＤ  ＤＶＤ方式の光ディスク１００Ｈにのみ対応するようにしても良い。
【０１４７】
この場合、ＣＤ／ＤＶＤ用レーザダイオード１３、カップリングレンズ１４及び光路合成プリズム１２を省略でき、またＨＤ用カップリングレンズ１８Ｈ及びＨＤ用対物レンズ８ＨをＨＤ  ＤＶＤ方式に最適化することができる。さらには、凹レンズ１７を省略することもできる。
【０１４８】
さらに上述した実施の形態においては、光ピックアップ７がＢＤ方式及びＨＤ  ＤＶＤ方式に対応した波長約４０５［ｎｍ］の光ビームＬ１、ＤＶＤ方式に対応した波長約６６０［ｎｍ］の光ビームＬ１、或いはＣＤ方式に対応した波長約７８０［ｎｍ］の光ビームＬ１をそれぞれ対応する方式の光ディスク１００に照射するようにした場合について述べたが、本発明はこれに限らず、種々の波長でなる光ビームを用いる種々の方式の光ディスク１００に対し、それぞれ方式に適した波長でなる光ビームＬ１を照射するようにしても良い。
【０１４９】
さらに上述した実施の形態においては、光ビームＬ１Ｃを出射するＣＤ用ＬＤチップ及び光ビームＬ１Ｄを出射するＤＶＤ用ＬＤチップの双方をＣＤ／ＤＶＤ用レーザダイオード１３に実装するようにした場合について述べたが、本発明はこれに限らず、例えば光ビームＬ１Ｃを出射するＣＤ用レーザダイオードと光ビームＬ１Ｄを出射するＤＶＤ用レーザダイオードとを別個に構成し、プリズム等を用いて光ビームＬ１Ｃと光ビームＬ１Ｄとの光路を合成するようにしても良い。
【０１５０】
さらに上述した光ディスク装置１は、光ディスク１００から情報を再生する機能のみを有する、いわゆる再生専用型であっても良く、或いは当該光ディスク１００に対し情報を記録すると共に当該光ディスクから情報を再生し得る、いわゆる記録再生型であっても良い。さらには、例えばＣＤ方式の光ディスク１００Ｃ及びＤＶＤ方式の光ディスク１００Ｄについては情報の記録及び再生の双方を行い得るものの、ＢＤ方式の光ディスク１００Ｂ及びＨＤ  ＤＶＤ方式の光ディスク１００Ｈについては情報の再生のみ行い得るような構成にしても良い。
【０１５１】
さらに上述した実施の形態においては、光源としてのＢＤ／ＨＤ用レーザダイオード１１と、光路切換器としての液晶素子１５及び分離プリズム１６と、第１カップリングレンズとしてのＢＤ用カップリングレンズ１８Ｂと、第１対物レンズとしてのＢＤ用対物レンズ８Ｂと、第２カップリングレンズとしてのＨＤ用カップリングレンズ１８Ｈと、第２対物レンズとしてのＨＤ用対物レンズ８Ｈと判別部及び制御部としての制御部２とによって光ディスク装置としての光ディスク装置１を構成する場合について述べたが、本発明はこれに限らず、その他種々の回路構成でなる光源と、光路切換器と、第１カップリングレンズと、第１対物レンズと、第２カップリングレンズと、第２対物レンズと判別部と、制御部とによって光ディスク装置を構成するようにしても良い。
【産業上の利用可能性】
【０１５２】
本発明は、コンピュータ装置や映像録画再生装置等の種々の電子機器に搭載される光ディスク装置でも利用できる。
【図面の簡単な説明】
【０１５３】
【図１】光ディスク装置の全体構成を示す略線図である。
【図２】光ピックアップの構成を示す略線図である。
【符号の説明】
【０１５４】
１……光ディスク装置、２……制御部、３……駆動部、４……信号処理部、７……光ピックアップ、８Ｂ……ＢＤ用対物レンズ、８Ｈ……ＨＤ用対物レンズ、１１……ＢＤ／ＨＤ用レーザダイオード、１３……ＣＤ／ＤＶＤ用レーザダイオード、１５……液晶素子、１６……分離プリズム、１６Ａ……偏光反射膜、１７……凹レンズ、１８Ｂ……ＢＤ用カップリングレンズ、１８Ｈ……ＨＤ用カップリングレンズ、１００、１００Ｂ、１００Ｈ、１００Ｄ、１００Ｃ……光ディスク、Ｌ１、Ｌ１Ｂ、Ｌ１Ｈ、Ｌ１Ｄ、Ｌ１Ｃ……光ビーム、Ｌ２、Ｌ２Ｂ、Ｌ２Ｈ、Ｌ２Ｄ、Ｌ２Ｃ……反射光ビーム。
【図１】
2009110635.tif 000003
【図２】
2009110635.tif 000004